(57)【特許請求の範囲】
【請求項１】
自動車に燃料を供給する給油装置と、該自動車を洗浄する洗車機と、前記給油装置及び洗車機にデータ送受信可能に接続された販売データ管理を行うＰＯＳ端末とを備えた給油所システムにおいて、
前記給油装置の本体ケースには、給油設定データ及び洗車機のコース設定データを入力する入力手段及びコース識別記号を含む設定内容を伝票に印字するプリンタを有するデータ入出力機が設けられ、前記洗車機には伝票のコース識別記号の入力機が設けられていることを特徴とする給油所システム。
【請求項２】
前記識別記号は、バーコードに記録した歴データであり、前記入力機は該バーコードを読取る伝票読取機であることを特徴とする請求項１記載の給油所システム。
【請求項３】
前記識別記号は、歴データの番号であり、前記入力機は該番号をキー入力するキーボードであることを特徴とする請求項１記載の給油所システム。
【請求項４】
前記伝票は、前記給油装置が設定する通し番号がバーコードで印字されている洗車チケットであることを特徴とする請求項１記載の給油所システム。
【請求項５】
自動車に燃料を供給する給油装置と、該自動車を洗浄する洗車機と、前記給油装置にデータ送受信可能に接続された販売データ管理を行うＰＯＳ端末とを備えた給油所システムにおいて、
前記給油装置の本体ケースには、給油設定データ及び洗車機のコース設定データを入力する入力手段及びコース識別記号を含む設定内容を伝票に印字するプリンタを有するデータ入出力機が設けられ、前記洗車機には伝票のコース識別記号の入力機が設けられていることを特徴とする給油所システム。
【請求項６】
前記洗車機及びＰＯＳ端末には、歴データを含む洗車歴記憶手段を有し、前記プリンタは、前記洗車歴記憶手段に記録されたデータを洗車チケットとして印字し、かつ前記洗車機の入力機は、前記洗車チケットに印字されたデータを入力することを特徴とする請求項５記載の給油所システム。
【請求項７】
前記洗車チケットには、前記給油装置が設定する通し番号がバーコードで印字されていることを特徴とする請求項６記載の給油所システム。
【請求項８】
前記入力機は、洗車チケットに印字されたバーコードを読取る伝票読取機であることを特徴とする請求項６記載の給油所システム。
【請求項９】
前記伝票読取機は、前記洗車チケットを読取った後に取り込むものであることを特徴とする請求項４または８記載の給油所システム。
【発明の詳細な説明】
【０００１】
【発明の属する技術分野】
本発明は、給油装置の給油設定及び洗車機のコース設定を１箇所で行い、設定通りの給油及び洗車を行うことができる給油所システムに関するものである。
【０００２】
【従来の技術】
従来、給油所には自動車に燃料油を供給する給油装置、あるいは自動車を洗車するための洗車機が設置されている。近年、これらの給油装置及び洗車機には、人件費削減等の目的のためにセルフサービスにより顧客自身が操作することができるものがあり、給油設定及びコース設定のためのデータ入出力機が設けられている。このデータ入出力機は、例えば、データの入力と表示を行うためのタッチパネル式表示器、あるいはキーボードや選択釦とその表示器、料金精算処理に関連するカードリーダ、プリンタ、紙幣あるいは硬貨読取機等の外設機である。
【０００３】
【発明が解決しようとする課題】
しかしながら、従来の給油装置及び洗車機は、給油設定あるいはコース設定のためのデータ入出力機をそれぞれの機器に独自に設けていたため、設備投資にコストが掛かるとともに、機器の取付けスペースのために敷地の有効利用を妨げる原因になるおそれがあった。
【０００４】
本発明は上記事情に鑑みなされたもので、給油装置の給油設定及び洗車機のコース設定が１箇所で簡単にでき、設定通りの給油及び洗車を行うことができる給油所システムを提供することを目的とする。
【０００５】
【課題を解決するための手段】
上記目的を達成するために請求項１に記載の発明にあっては、自動車に燃料を供給する給油装置と、該自動車を洗浄する洗車機と、前記給油装置及び洗車機にデータ送受信可能に接続された販売データ管理を行うＰＯＳ端末とを備えた給油所システムにおいて、前記給油装置の本体ケースには、給油設定データ及び洗車機のコース設定データを入力する入力手段及びコース識別記号を含む設定内容を伝票に印字するプリンタを有するデータ入出力機が設けられ、前記洗車機には伝票のコース識別記号の入力機が設けられていることを特徴とするものである。データ入出力機により給油設定だけでなく洗車機のコース設定が１箇所で簡単にでき、機器を共有化して設備投資のコストを低減でき、機器の取付けスペースを少なくして敷地の有効利用を図ることができる。
【０００６】
請求項２に記載の発明にあっては、前記識別記号は、バーコードに記録した歴データであり、前記入力機は該バーコードを読取る伝票読取機であることを特徴とするものである。伝票読取機で簡単に洗車の歴データを読取ることができる。
【０００７】
請求項３に記載の発明にあっては、前記識別記号は、歴データの番号であり、前記入力機は該番号をキー入力するキーボードであることを特徴とするものである。入力機で歴データの番号を簡単に入力できる。
【０００８】
請求項４に記載の発明にあっては、前記伝票は、前記給油装置が設定する通し番号がバーコードで印字されている洗車チケットであることを特徴とするものである。通し番号により給油を行った給油装置との関連付けができる。
【０００９】
請求項５に記載の発明にあっては、自動車に燃料を供給する給油装置と、該自動車を洗浄する洗車機と、前記給油装置にデータ送受信可能に接続された販売データ管理を行うＰＯＳ端末とを備えた給油所システムにおいて、前記給油装置の本体ケースには、給油設定データ及び洗車機のコース設定データを入力する入力手段及びコース識別記号を含む設定内容を伝票に印字するプリンタを有するデータ入出力機が設けられ、前記洗車機には伝票のコース識別記号の入力機が設けられていることを特徴とするものである。データ入出力機により給油設定だけでなく洗車機のコース設定が１箇所で簡単にでき、ＰＯＳ端末と接続されていなくても機器を共有化して設備投資のコストを低減でき、機器の取付けスペースを少なくして敷地の有効利用を図ることができる。
【００１０】
請求項６に記載の発明にあっては、前記洗車機及びＰＯＳ端末には、歴データを含む洗車歴記憶手段を有し、前記プリンタは、前記洗車歴記憶手段に記録されたデータを洗車チケットとして印字し、かつ前記洗車機の入力機は、前記洗車チケットに印字されたデータを入力することを特徴とするものである。洗車するときに洗車チケットを利用することができる。
【００１１】
請求項７に記載の発明にあっては、前記洗車チケットには、前記給油装置が設定する通し番号がバーコードで印字されていることを特徴とするものである。通し番号により給油を行った給油装置との関連付けができる。
【００１２】
請求項８に記載の発明にあっては、前記入力機は、洗車チケットに印字されたバーコードを読取る伝票読取機であることを特徴とするものである。洗車チケットによりコース設定された内容の洗車が可能になる。
【００１３】
請求項９に記載の発明にあっては、前記伝票読取機は、前記洗車チケットを読取った後に取り込むものであることを特徴とするものである。洗車チケットを伝票読取機が読取った後に取り込むことで複数回の洗車を防止することができる。
【００１４】
【発明の実施の形態】
以下、本発明を図示の一実施形態により具体的に説明する。図１〜図７は本発明第１実施形態の給油所システムを説明する図であり、図１は給油所システムの機器構成を説明する図、図２は給油所システムの構成を示すブロック図、図３は洗車機のコース設定画面を説明する図、図４は洗車機のコース種類を説明する図、図５は設定された内容の伝票を説明する図、図６は設定された内容の他の伝票を説明する図、図７はＰＯＳ端末の洗車歴記憶手段に記録される内容を説明する図である。
【００１５】
これらの図において、本実施形態の給油所システム１は、給油所の敷地に配置された給油装置１０及び洗車機４０と、これらにそれぞれ信号線２，３を介して互いに通信可能に接続された販売データ管理を行うＰＯＳ端末３５とから構成されており、給油装置１０に設けられたデータ入出力機により、給油設定及び洗車機４０のコース設定を１個所でできるようにしたものである。
【００１６】
給油装置１０は、例えば、レギュラーガソリン、ハイオクガソリン及び軽油等のいずれかの油種を、正面側（Ａ面側）及び背面側（Ｂ面側）から顧客自身が操作して給油可能なセルフサービス式の地上設置型の装置である。この給油装置１０は、その本体ケース１１を構成する下部側の機器ケース１１ａに、それぞれの油種の給油機構を構成する給油ポンプ２５やパルス発信器２６を有する流量計等が収納されている。本体ケース１１の機器ケース１１ａの上部は、表示器ケース１１ｂに形成され、その正面側及び背面側の操作面に、表示パネル１６が設けられている。また、本体ケース１１は、機器ケース１１ａ及び表示器ケース１１ｂの左右に支柱１１ｄ，１１ｄが設けられ、これら支柱１１ｄ，１１ｄの頂部は、頂部ケース１１ｃに形成され、この頂部ケース１１ｃから先端に給油ノズル１３を接続したそれぞれの油種の給油ホース１２が吊り下げられている。給油ノズル１３は、機器ケース１１ａの正面及び背面に設けられたノズル掛け１４に掛けられるようになっている。また、このノズル掛け１４の近傍には、給油ノズル１３の掛け外しを検知するノズルスイッチ２７が設けられている。
【００１７】
そして、表示器ケース１１ｂの正面及び背面の操作面に設けられた表示パネル１６は、縦方向に複数（実施形態ではそれぞれ３つ）に区画され、それぞれの区画に各種の機器が取付けられている。中央部に配置された表示パネル１６には、給油量表示器１７が取付けられている。また、他の表示パネル（左側）１６には、外設機として給油設定データ及びコース設定のデータの入力、その入力データ、キャンペーン情報、交通情報もしくは宣伝情報等を表示するタッチパネル式表示器１８、給油設定及びコース設定に関連する伝票を出力する取り出し口を有するプリンタ２０、クレジットカード、デービットカード、現金カード、プリペードカードあるいはＩＣカードを読み取るカードリーダ１９が取付けられている。さらに、他の表示パネル（右側）１６には、外設機として料金精算のための精算機３０に関連する、紙幣読取機の紙幣挿入口２１及び紙幣排出口２２、硬貨読取機の硬貨投入口２３及び硬貨排出口２４等が設けられている。
【００１８】
また、表示器ケース１１ｂ内には、給油ポンプ２５を含む給油機構及び給油量表示器１７を制御するための給油制御装置２８、外設機に関連するタッチパネル式表示器１８、カードリーダ１９、プリンタ２０及び精算機３０を制御するための外設機制御装置２９が収納されている。給油制御装置２８は、ノズルスイッチ２７からの信号等に基づいて給油ポンプ２５の動作を制御するとともに給油量表示器１７を制御する給油制御プログラム２８ａと、パルス発信器２６から出力される流量パルスを計数して給油量等を算出する計数手段２８ｂ等とを有する。外設機制御装置２９は、タッチパネル式表示器１８による給油設定及びコース設定を行う設定手段２９ａと、カードリーダ１９や紙幣及び硬貨読取等からなる精算機３０による処理を行う精算処理手段２９ｂと、プリンタ２０から伝票を印字出力するための伝票発行手段２９ｃ等とを有する。
【００１９】
タッチパネル式表示器１８では、設定手段２９ａにより入力手段として給油設定及びコース設定が可能である。給油設定の表示画面については図示していないが、油種、給油量、満タンまたは定量等の給油方法等が入力される。コース設定では、図３に示すような、１コース選択、２タイヤ洗浄、３アクセサリーの選択画面が表示され、パネルをタッチすることで入力される。すなわち、１コース選択では、「水洗い」、「シャンプー」、「オリジナルワックス」、「撥水コート」に応じてそれぞれ押釦が表示され、いずれかのコースの押釦を押すことで、図４に示すような、コースに対応したコース番号が入力される。２タイヤ洗浄では、「タイヤ洗浄を行いますか」とその「はい」及び「いいえ」の押釦が表示され，いずれかの押釦を押すことでタイヤ洗浄を行うか行わないかが選択される。３アクセサリーでは、洗浄動作における自動車のアクセサリーの有無を選択する部分で、「フェンダーポール、フェンダーミラー」、「固定型ドアミラー」、「ルーフキャリア、タクシー」、「リアワイパー、リアミラー、背面スペアタイヤ」、「大型ドアミラー、グリルガード」、「リアスポイラー」とその「はい」の押釦が表示され、自動車の種類に応じて押釦を押すことで洗浄動作が選択される。
【００２０】
タッチパネル式表示器１８で入力される給油設定及びコース設定に関するデータは、プリンタ２０において伝票発行手段２９ｃにより領収書及び洗車のチケットに相当する伝票として出力される。すなわち、図５に示すように、伝票には設定を行った日時「２００１．０９．１０  １８：２５」の下部に、給油データとして、例えば、油種「ハイオク」、給油量「３５．８Ｌ」、金額「３８６６円」、消費税「１９３円」、給油金額「４０５９円」、洗車データとして、コース「ワックス洗車」、洗車金額「８００円」、支払合計金額として「４８５９円」が印字され、さらに、その下部にＰＯＳ端末３５から送信される何番目の洗車かを示す歴データがバーコードとして印字される。このバーコードは、後に説明する洗車機４０の読取機４３により読取られる。また、図６に示すように、バーコードの代わりに何番目の洗車かを示す「洗車Ｎｏ．１２」が印字され、同様に後に説明する洗車機４０のキーボード４４によりキー入力される。
【００２１】
ＰＯＳ端末３５は、給油所の事務所等に配置され、複数台の給油装置１０及び洗車機４０とデータ送受信可能に接続され、そのＰＯＳ制御装置３６は、給油装置１０から送信されてくる給油データ等に基づいて販売データ管理を行うための給油データ作成手段３６ａと、給油装置１０及び洗車機４０から送信されてくる洗車データに基づいて、洗車歴データを作成する洗車データ作成手段３６ｂと、給油データを記憶する手段３６ｃと、洗車歴データを記憶する洗車歴記憶手段３６ｄ等とを有する。洗車歴記憶手段３６ｄには、図７に示すように、給油所において何番目の洗車であるかを示す一貫番号等からなる洗車歴Ｎｏ．と、給油装置Ｎｏ．と、その給油装置の正面（Ａ）側か背面（Ｂ）側かを示す記号と、選択した洗車のコース番号と、日付と、時刻と、洗車済の有無の記録とが記憶される。例えば、洗車歴Ｎｏ．「１１」は、給油装置Ｎｏ．「４」、給油装置の面「Ｂ」、選択したコース番号「１」、日付「２００１．０９．１０」、時刻「１７：４３」で洗車済であり、また、洗車歴Ｎｏ．「１４」は、給油装置Ｎｏ．「１」、給油装置の面「Ａ」、選択したコース番号「１」、日付「２００１．０９．１０」、時刻「２０：３０」で洗車はまだ済んでいないことが記録されている。
【００２２】
洗車機４０は、例えば、門型に形成された洗車機本体４１にモータ等で駆動されるブラシや洗浄ノズル等の洗浄機構４２を備え、この洗車機本体４１の正面右側に歴データが記録された伝票のバーコードを読取る伝票読取機４３と、歴データをキー入力したりスタート押釦等からなるキーボード４４と、この入力データを表示する表示器４５とが設けられ、洗車機本体４１内には洗車制御装置４６が収納されている。この洗車制御装置４６は、選択されたコースに基づいて洗浄機構４２の動作を制御する洗車制御プログラム４６ａと、洗車コースを判別する洗車コース判別手段４６ｂ等とを有する。
【００２３】
なお、料金精算に関しては、伝票に記載された合計金額を給油及び洗車を行う前あるいは後に、給油装置１０に設けられた精算機３０を構成するカードリーダ１９あるいは紙幣読取機及び硬貨読取機により、または事務所において行うことができるようになっている。
【００２４】
次に、給油所システムの動作を具体的に説明する。図８〜図１０は本発明第１実施形態の給油所システムの動作を説明する図であり、図８は給油装置の動作を説明するフローチャート、図９はＰＯＳ端末の動作を説明するフローチャート、図１０は洗車機の動作を説明するフローチャートである。
【００２５】
まず、図８に示すように、顧客が所定の給油装置１０の表示パネル１６に設けられたタッチパネル式表示器１８の表示画面に表示される設定画面に基づいて、給油設定及びコース設定を行うと（ＳＴ１）、その設定データがＰＯＳ端末３５へ送信され、またプリンタ２０からは洗車があるときには図５あるいは図６に示したような、給油データと洗車データ及び何番目の洗車であるかを示す洗車歴データのバーコードあるいはその番号を印字した伝票が出力される（ＳＴ２）。そして、ノズル掛け１４から所定の給油ノズル１３を外して給油を開始すると、給油量表示器１７に給油量が表示される（ＳＴ３）。給油を終了すると（ＳＴ４）、給油データがＰＯＳ端末３５へ送信される（ＳＴ５）。
【００２６】
ＰＯＳ端末３５では、給油装置１０から設定データ及び給油データを受信したとき（ＳＴ１１）、その受信データに基づいて給油データ作成手段３６ａが給油データを作成して給油データ記憶手段３６ｃへ記録するとともに、洗車データ作成手段３６ｂが何番目の洗車であるかを判断して洗車データを作成し洗車歴記憶手段３６ｄへ記録する（ＳＴ１２）。そして、ＰＯＳ端末３５は、歴データを含む洗車データを洗車機４０へ送信するとともに、給油装置１０へ歴データを送信する（ＳＴ１３）。洗車機４０は、予めＰＯＳ端末３５から送信されてきた洗車データを記憶してコード識別に備える。また、給油装置１０は、ＰＯＳ端末３５から歴データを受信したとき（ＳＴ６）、その歴データを記憶し（ＳＴ７）、次の洗車のコース設定に備える。
【００２７】
次に、給油を終了した顧客が洗車機４０で洗車する場合に、まずバーコードが記録されている伝票のときには、伝票読取機４３によりその伝票を読取り、番号が記録されているときにはキーボード４４によりキー入力して歴データのコード識別を行い（ＳＴ２１）、洗車コース判別手段４６ｂが予めＰＯＳ端末３５から送信されてきた洗車データに基づいて伝票チェック、コース判別を行って洗車歴を記憶する（ＳＴ２２）。洗車済みであるかを判断し（ＳＴ２３）、洗車済みでない正常のときにはスタート釦を押圧することで（ＳＴ２４）、洗車制御プログラム４６ａにより洗車機構４２が設定されたコースに応じて制御されて洗車が実行される（ＳＴ２５）。洗車済みであるときには報知が行われ（ＳＴ２７）、終了する。洗車が終了したときには（ＳＴ２６）、洗車済みが記憶されるとともに、そのデータがＰＯＳ端末３５へ送信される（ＳＴ２８）。ＰＯＳ端末３５は、洗車機４０から洗車済みのデータを受信したとき（ＳＴ１４）、そのデータを洗車歴記憶手段３６ｄへ記録する。
【００２８】
上記構成の給油システム１では、給油装置１０及び洗車機４０がそれぞれ信号線２，３を介してＰＯＳ端末３５に通信可能に接続され、かつ給油装置１０に設けられたタッチパネル式表示器１８では、設定手段２９ａにより給油設定だけでなく洗車機４０のコース設定が可能であるため、１箇所で簡単にでき、洗車機４０で別のコース設定用のデータ入力機を必要とせず、機器を共有化して設備投資のコストを低減でき、機器の取付けスペースを少なくして敷地の有効利用を図ることができる。また、本実施形態では、給油設定とコース設定したとき何番目の洗車であるかを示す洗車歴データのバーコードあるいは番号を印字した伝票をプリンタ２０から印字出力し、洗車機４０において洗車する前にその伝票に記録されたバーコードを伝票読取機４３で読取るか、あるいは番号をキーボード４４からキー入力するため、給油装置１０で設定したコース設定された内容との照合を正確に行うことができ、指定した洗車を確実に行うことができ、洗車済みを確認することが容易になる。
【００２９】
図１１〜図１３は本発明第２実施形態の給油所システムを説明する図であり、図１１は給油所システムの構成を示すブロック図、図１２は設定された内容の伝票を説明する図、図１３は設定されたコースデータと通し番号のバーコードを記録した伝票を説明する図である。なお、第１実施形態に対応する部分及び部材は同一の符号を記し詳細の説明を省略する。
【００３０】
この実施形態の給油所システム５は、第１実施形態と同等の複数台の給油装置１０がＰＯＳ端末３５に通信可能に接続されているが、洗車機４０´とＰＯＳ端末３５との間は接続されていないものである。すなわち、洗車機４０´は、同様の門型に形成された洗車機本体４１にモータ等で駆動されるブラシや洗浄ノズル等の洗浄機構４２を備え、この洗車機本体４１の正面右側にコースデータと通し番号が記録された伝票のバーコードを読取る伝票読取機４３´と、キー入力したりスタート押釦等からなるキーボード４４と、この入力データを表示する表示器４５とが設けられ、洗車機本体４１内には洗車制御装置４６´が収納されている。この洗車制御装置４６´は、選択されたコースに基づいて洗浄機構４２の動作を制御する洗車制御プログラム４６ａと、洗車コースを判別する洗車コース判別手段４６ｂと、洗車歴を記録する洗車歴記憶手段４６ｃ等とを有する。その他の構成は第１実施形態と同様である。
【００３１】
また、給油装置１０のプリンタ２０で印字される領収書に相当する第１の伝票は、図１２に示すように、第１実施形態と同様の給油データ、洗車データ及び支払合計額が印字される。そして、同じプリンタ２０は第１の伝票に続いて、図１３に示すように、別の第２の伝票（チケット）が印字される。この第２の伝票は、日時、複数の給油装置を識別するフラグ、コース設定したコースデータ及び通し番号がバーコードとして記録されている。すなわち、第２の伝票には設定を行った日時「２００１．０９．１０  ２０：３０」と、バーコードとが印字されている。
【００３２】
次に、給油所システムの動作を具体的に説明する。図１４及び図１５は本発明第２実施形態の給油所システムの動作を説明する図であり、図１４はＰＯＳ端末の動作を説明するフローチャート、図１０は洗車機の動作を説明するフローチャートである。なお、給油装置の動作を説明するフローチャートは、第１実施形態の図８と同様となるので記載を省略している。
【００３３】
まず、第１実施形態と同様に、顧客が所定の給油装置１０の表示パネル１６に設けられたタッチパネル式表示器１８の表示画面に表示される設定画面に基づいて、給油設定及びコース設定を行うと（ＳＴ１）、その設定データがＰＯＳ端末３５へ送信され、またプリンタ２０からは洗車があるときには図１２及び図１３に示したような、第１及び第２の伝票が出力され、続いて給油を開始し、給油を終了すると、給油データがＰＯＳ端末３５へ送信される。ＰＯＳ端末３５では、給油装置１０から設定データ及び給油データを受信したとき（ＳＴ３１）、その受信データに基づいて給油データ作成手段３６ａが給油データを作成して給油データ記憶手段３６ｃへ記録するとともに、洗車データ作成手段３６ｂが何番目の洗車であるかを判断して洗車データを作成し洗車歴記憶手段３６ｄへ記録する（ＳＴ３２）。そして、ＰＯＳ端末３５は、歴データ含む洗車データを給油装置１０へ送信する（ＳＴ３３）。給油装置１０は、ＰＯＳ端末３５から歴データを受信したとき、その歴データを記憶し、次の洗車のコース設定に備える。
【００３４】
次に、給油を終了した顧客が洗車機４０で洗車する場合に、まずバーコードが記録されている第２の伝票を伝票読取機４３により読取り、伝票チェックを行い（ＳＴ４２）、洗車済みでないかどうか判断し（ＳＴ４３）、洗車済みでない正常のときにはコース判別及び洗車歴記憶を行い（ＳＴ４４）、スタート釦を押圧することで（ＳＴ４４）、洗車制御プログラム４６ａにより洗車機構４２が設定されたコースに応じて制御されて洗車が実行される（ＳＴ４６）。洗車済みのときには報知が行われ（ＳＴ４７）、終了する。洗車が終了したときには（ＳＴ４６）、洗車済みが洗車歴記憶手段４６ｃに記憶される。
【００３５】
上記構成の給油システム５では、給油装置１０がＰＯＳ端末３５に通信可能に接続され、かつ給油装置１０に設けられたタッチパネル式表示器１８では、第１実施形態と同様に、設定手段２９ａにより給油設定だけでなく洗車機４０のコース設定が可能であるため、１箇所で簡単にでき、別のコース設定用のデータ入力機を必要とせず、機器を共有化して設備投資のコストを低減でき、機器の取付けスペースを少なくして敷地の有効利用を図ることができる。また、本実施形態では、コース設定したときコースデータと通し番号データをバーコードで記録した第２の伝票がプリンタ２０から出力されるため、洗車機４０において洗車する前にその第２の伝票を伝票読取機４３で読取ることで、コース設定された内容との照合を正確に行うことができ、指定した洗車を確実に行うことができ、洗車済みを確認することが容易になる。
【００３６】
なお、上記実施形態において、給油装置１０にタッチパネル式表示器１８を設けた例を説明したが、給油設定及びコース設定できるキーボードと表示器等からなる入力手段を有するデータ入出力機であればよく、また第１実施形態において、同じ伝票に歴データをバーコードまたは番号として記録した例を示したが、別の伝票として出力するようにしてもよい。また、第２実施形態において、第２の伝票は、伝票読取機４３´に取り込まれるようにすれば、再び洗車に使用されることが防止できる。さらに、伝票の記録は一例であり実施例に限定されない。さらにまた、洗車機４０の伝票読取機あるいはキーボードはコース設定に関するデータを入力する入力機であればよい。さらに、洗車機４０で給油設定できるようにすることもできる。
【００３７】
【発明の効果】
以上説明したように本発明の給油装置では、自動車に燃料を供給する給油装置と、自動車を洗浄する洗車機と、給油装置及び洗車機にデータ送受信可能に接続された販売データ管理を行うＰＯＳ端末とを備えた給油所システムにおいて、給油装置の本体ケースには、給油設定データ及び洗車機のコース設定データを入力する入力手段及びコース識別記号を含む設定内容を伝票に印字するプリンタを有するデータ入出力機が設けられ、洗車機には伝票のコース識別記号の入力機が設けられていることで、データ入出力機により給油設定だけでなく洗車機のコース設定が１箇所で簡単にでき、機器を共有化して設備投資のコストを低減でき、機器の取付けスペースを少なくして敷地の有効利用を図ることができる。
【図面の簡単な説明】
【図１】本発明第１実施形態の給油所システムの機器構成を説明する図である。
【図２】本発明第１実施形態の給油所システムの構成を示すブロック図である。
【図３】本発明第１実施形態の洗車機のコース設定画面を説明する図である。
【図４】本発明第１実施形態の洗車機のコース種類を説明する図である。
【図５】本発明第１実施形態の設定された内容の伝票を説明する図である。
【図６】本発明第１実施形態の設定された内容の他の伝票を説明する図である。
【図７】本発明第１実施形態のＰＯＳ端末の洗車歴記憶手段に記録される内容を説明する図である。
【図８】本発明第１実施形態の給油装置の動作を説明するフローチャートである。
【図９】本発明第１実施形態のＰＯＳ端末の動作を説明するフローチャートである。
【図１０】本発明第１実施形態の洗車機の動作を説明するフローチャートである。
【図１１】本発明第２実施形態の給油所システムの構成を示すブロック図である。
【図１２】本発明第２実施形態の設定された内容の伝票を説明する図である。
【図１３】本発明第２実施形態の設定されたコースデータと通し番号のバーコードを記録した伝票を説明する図である。
【図１４】本発明第２実施形態のＰＯＳ端末の動作を説明するフローチャートである。
【図１５】本発明第２実施形態の洗車機の動作を説明するフローチャートである。
【符号の説明】
１，５  給油所システム
２，３  信号線
１０  給油装置
１１  本体ケース
１１ａ  機器ケース
１１ｂ  表示器ケース
１１ｃ  頂部ケース
１１ｄ  支柱
１２  給油ホース
１３  給油ノズル
１４  ノズル掛け
１６  表示パネル
１７  給油量表示器
１８  タッチパネル式表示器
１９  カードリーダ
２０  プリンタ
２１  紙幣挿入口
２２  紙幣排出口
２３  硬貨投入口
２４  硬貨排出口
２５  給油ポンプ
２６  パルス発信器
２７  ノズルスイッチ
２８  給油制御装置
２８ａ  給油制御プログラム
２８ｂ  計数手段
２９  外設機制御装置
２９ａ  設定手段
２９ｂ  精算処理手段
２９ｃ  伝票発行手段
３０  精算機
３５  ＰＯＳ端末
３６  ＰＯＳ制御装置
３６ａ  給油データ作成手段
３６ｂ  洗車データ作成手段
３６ｃ  給油データ記憶手段
３６ｄ  洗車歴記憶手段
４０，４０´  洗車機
４１  洗車機本体
４２  洗浄機構
４３，４３´  伝票読取機
４４  キーボード
４５  表示器
４６，４６´  洗車制御装置
４６ａ  洗車制御プログラム
４６ｂ  洗車コース判別手段
４６ｃ  洗車歴記憶手段
【図１】
0003622845.tif 000002
【図２】
0003622845.tif 000003
【図３】
0003622845.tif 000004
【図４】
0003622845.tif 000005
【図５】
0003622845.tif 000006
【図６】
0003622845.tif 000007
【図７】
0003622845.tif 000008
【図８】
0003622845.tif 000009
【図９】
0003622845.tif 000010
【図１０】
0003622845.tif 000011
【図１１】
0003622845.tif 000012
【図１２】
0003622845.tif 000013
【図１３】
0003622845.tif 000014
【図１４】
0003622845.tif 000015
【図１５】
0003622845.tif 000016